(57)【要約】【課題】隠蔽層における剥離性の改善を図った隠蔽層付き印刷物等を提供する。【解決手段】下地２に隠蔽すべき情報を示す隠蔽情報Ｘを印刷した隠蔽情報層４を設け、この隠蔽情報層４の上層には、ＯＰニスを印刷した剥離層５を設け、この剥離層５の上層には、紫外線硬化型の有色インキを印刷し隠蔽情報Ｘを隠蔽する隠蔽層６を設けた隠蔽層付き印刷物１であって、紫外線硬化型の有色インキは、インキ組成物の総量中ウレタンアクリレートを３０％以上含有し、且つ、光重合開始剤を１０〜１５％の範囲で含有する。【選択図】図１
2014083698.tif 000002
【特許請求の範囲】
【請求項１】
下地に隠蔽すべき情報を示す隠蔽情報を印刷した隠蔽情報層を設け、この隠蔽情報層の上層には、ＯＰニスを印刷した剥離層を設け、この剥離層の上層には、紫外線硬化型の有色インキを印刷し前記隠蔽情報を隠蔽する隠蔽層を設けた隠蔽層付き印刷物であって、
前記紫外線硬化型の有色インキは、インキ組成物の総量中ウレタンアクリレートを３０％以上含有し、且つ、光重合開始剤を１０〜１５％の範囲で含有することを特徴とする隠蔽層付き印刷物。
【請求項２】
前記剥離層の濡れ指数が３６ｄｙｎｅ／ｃｍ未満であることを特徴とする請求項１に記載の隠蔽層付き印刷物。
【請求項３】
下地にＯＰニスを印刷した剥離層を設け、この剥離層の上層には、隠蔽すべき情報を示す隠蔽情報を白抜き印刷した紫外線硬化型の有色インキを印刷してなる隠蔽情報層を設け、この隠蔽情報層の上層には、紫外線硬化型の有色インキを印刷し前記隠蔽情報を隠蔽する隠蔽層を設けた隠蔽層付き印刷物であって、
前記隠蔽情報を白抜き印刷する紫外線硬化型の有色インキは、インキ組成物の総量中ウレタンアクリレートを３０％以上含有し、且つ、光重合開始剤を１０〜１５％の範囲で含有することを特徴とする隠蔽層付き印刷物。
【請求項４】
隠蔽層は、インキ組成物である植物油由来成分をインキ中に５〜１５％の範囲で含有することを特徴とする請求項１、又は３に記載の隠蔽層付き印刷物。
【請求項５】
オフセット印刷により、隠蔽情報を印刷した下地の、隠蔽情報（隠蔽情報層）の上層にＯＰニスによる剥離層を印刷し、この剥離層の上層に紫外線硬化型の有色インキによる隠蔽層を印刷し、紫外線を照射することで当該有色インキを乾燥して硬化させるものであって、前記紫外線硬化型の有色インキは、インキ組成物の総量中ウレタンアクリレートを３０％以上含有し、且つ、光重合開始剤を１０〜１５％の範囲で含有することを特徴とする隠蔽層付き印刷物の製造方法。
【発明の詳細な説明】
【技術分野】
【０００１】
本発明は、隠蔽層付き印刷物、及びその製造方法に関する。
【背景技術】
【０００２】
従来からインスタント抽選券やゲーム用のカードにおいて、一般的にスクラッチ印刷物と称される隠蔽層付き印刷物が広く利用されている（特許文献１参照）。
【０００３】
特許文献１に示すスクラッチ印刷物は、紙上にオフセット印刷により当落などを文字で表わした隠蔽情報を表示するインキ層と、このインキ層を覆うようにして設けられる剥離ニス層と、この剥離ニス層上に設けられる隠蔽用顔料を含有する隠蔽層と、を備えて構成されており、コインや爪、又は接着テープにより隠蔽層を剥離することで隠蔽情報を表出させるものである。
【先行技術文献】
【特許文献】
【０００４】
【特許文献１】特開平０５−２４６１８８号公報
【発明の概要】
【発明が解決しようとする課題】
【０００５】
この種のスクラッチ印刷物は、本や雑誌に綴じ込まれて付録として適用される場合、書店に当該雑誌が置かれた際に隠蔽層を簡単に剥離可能なため、爪やコインでの単なる引っ掻き程度では剥離できないものとしたいという出版社からの要望がある。
【０００６】
また、爪やコインでの擦れによる剥離では、けずりカスが発生し、周囲を汚染するという不具合がある。
【０００７】
そこで、本発明は、上記問題点に鑑みてなされたものであり、その目的の一例は、隠蔽層における剥離性の改善を図った隠蔽層付き印刷物等を提供することである。
【課題を解決するための手段】
【０００８】
上記課題を解決するために、請求項１に記載の隠蔽層付き印刷物（１）は、下地（２）に隠蔽すべき情報を示す隠蔽情報（Ｘ）を印刷した隠蔽情報層（４）を設け、この隠蔽情報層の上層には、剥離成分を含有せず剥離効果を有する酸化重合型のＯＰニスを印刷した剥離層（５）を設け、この剥離層の上層には、紫外線硬化型の有色インキを印刷し前記隠蔽情報を隠蔽する隠蔽層（６）を設けた隠蔽層付き印刷物であって、前記紫外線硬化型の有色インキは、インキ組成物の総量中ウレタンアクリレートを３０％以上含有し、且つ、光重合開始剤を１０〜１５％の範囲で含有することを特徴とする。
【０００９】
また、請求項２に記載の隠蔽層付き印刷物は、請求項１に記載の隠蔽層付き印刷物において、前記剥離層の濡れ指数を３６ｄｙｎｅ／ｃｍ未満とすることを特徴とする。
【００１０】
また、請求項３に記載の隠蔽層付き印刷物は、下地にＯＰニスを印刷した剥離層を設け、この剥離層の上層には、隠蔽すべき情報を示す隠蔽情報を白抜き印刷した紫外線硬化型の有色インキを印刷してなる隠蔽情報層（８ａ）を設け、この隠蔽情報層の上層には、紫外線硬化型の有色インキを印刷し前記隠蔽情報を隠蔽する隠蔽層（８ｂ、８ｃ）を設けた隠蔽層付き印刷物であって、前記隠蔽情報を白抜き印刷する紫外線硬化型の有色インキ（８ａ）は、インキ組成物の総量中ウレタンアクリレートを３０％以上含有し、且つ、光重合開始剤を１０〜１５％の範囲で含有することを特徴とする。
【００１１】
また、請求項４に記載の隠蔽層付き印刷物は、請求項１、又は３に記載の隠蔽層付き印刷物において、隠蔽層（８ｂ）は、インキ組成物である植物油由来成分をインキ中に５〜１５％の範囲で含有することを特徴とする。
【００１２】
また、請求項５に記載の隠蔽層付き印刷物の製造方法は、オフセット印刷により、隠蔽情報を印刷した下地の、隠蔽情報（隠蔽情報層）の上層にＯＰニスによる剥離層を印刷し、この剥離層の上層に紫外線硬化型の有色インキによる隠蔽層を印刷し、紫外線を照射することで当該有色インキを乾燥して硬化させるものであって、前記紫外線硬化型の有色インキは、インキ組成物の総量中ウレタンアクリレートを３０％以上含有し、且つ、光重合開始剤を１０〜１５％の範囲で含有することを特徴とする。
【発明の効果】
【００１３】
本発明における隠蔽層付き印刷物等によれば、隠蔽層が爪やコインでは剥離せずに、接着テープにて良好に剥離可能である。
【図面の簡単な説明】
【００１４】
【図１】隠蔽層付き印刷物の構成を示す模式図である。
【図２】隠蔽層付き印刷物の層構成を示す模式図である。
【図３】隠蔽層付き印刷物の使用態様を示す概略図である。
【図４】他の実施形態の隠蔽層付き印刷物の構成例を示す模式図である。
【発明を実施するための形態】
【００１５】
以下、図面を参照して本発明の実施形態について説明する。
【００１６】
本実施形態の隠蔽層付き印刷物１は、図１及び図２に示すように、下地となる原反２に文字や絵柄等の隠蔽すべき情報（以下、「隠蔽情報Ｘ」と称する。）を表示する隠蔽情報層４と、この隠蔽情報層４の上部に、すわなち、隠蔽情報Ｘが表示された面に配置される剥離層５と、この剥離層５の上部に設けられる隠蔽用顔料を含有する隠蔽層６と、を備えて構成されている。
【００１７】
原反２は、例えば、コート紙等が用いられ、隠蔽情報層４はオフセット印刷により、隠蔽情報Ｘとしての、例えば、くじの当落や等級等を示す文字、数字、あるいはそれらに該当する絵柄等の情報が印刷される。
【００１８】
剥離層５は、オフセット印刷により印刷されるものであって、剥離成分を含有せず剥離効果を有する酸化重合型のＯＰ（Over Print）ニスと称される、通常は主として表面保護を目的として使用されるものが用いられ、特にその濡れ指数が３６ｄｙｎｅ／ｃｍ以下とし、好適な範囲としては３４〜３６ｄｙｎｅ／ｃｍに設定される。
【００１９】
このように本実施形態の隠蔽層付き印刷物１は、従来のように剥離ニスを使用して、ワックスやシリコーン等剥離成分の剥離作用にてはがれを発生させるのではなく、剥離層５の濡れ指数を設定し、若しくは隠蔽層６と樹脂の相溶性の悪いインキを剥離層５に選定することによる密着性の低減により、剥離を発生させる。
【００２０】
隠蔽層６は、オフセット印刷により有色インキを用いて所定の色（銀色、墨色等）が印刷され、その下層の隠蔽情報Ｘを隠蔽するものであって、紫外線硬化型インキを用い、印刷後、紫外線を照射することによりインキを乾燥して硬化させたものである。
【００２１】
このインキは、銀インキが好適に用いられる。また、当該銀インキは、インキ組成物の総量中ウレタンアクリレートを３０％以上含有し、且つ、光重合開始剤を１０〜１５％含有している。
【００２２】
この隠蔽層６は、一層でも構わないが、より隠蔽効果を得るためには、複数層とすることが好ましい。
【００２３】
隠蔽層６を複数層とする場合、好適には、銀インキを最下層と最上層に配置し、中間層を挟むサンドイッチ構造とすることが好ましく、この中間層は、インキ組成物である大豆油やアマニ油などの植物油由来成分をインキ組成物の総量中に５〜１５％の範囲で含有する紫外線硬化型のインキを用いることが好ましい。この中間層に用いられるインキは、好適には墨色インキであるが他の色インキであっても構わない。また、中間層が直接、剥離層（ＯＰニス）と接触した場合、剥離が発生しないため、中間層の印刷面積は上下の層の印刷面積よりも小さいサイズとする。なお、中間層にインキ組成物の総量中に植物油由来成分が５％未満であるインキを用いることも可能であるが、若干、剥離性が低下することが懸念される。
【００２４】
このように構成された隠蔽層付き印刷物１は、図３に示すように、接着テープ１０にて隠蔽部を剥がすと、接着テープ１０と接触する隠蔽部６ａが剥離されるので、隠蔽情報Ｘが視認可能となる。
【００２５】
また、隠蔽層６は、紫外線硬化型インキを用いて強固な皮膜を形成し、また、剥離層５に剥離成分を含まないことで、接着テープで確実に引き剥がすことが可能である一方で、爪やコインでの単なる引っ掻き程度では剥離されないようにすることができる。
【００２６】
このような隠蔽層付き印刷物１は、上述したようにオフセット印刷により、隠蔽情報Ｘを印刷した下地（原反２）の、隠蔽情報Ｘ（隠蔽情報層４）の上部に、すなわち、隠蔽情報Ｘが表示された面にＯＰニスによる剥離層５を印刷し、この剥離層５の上部に紫外線硬化型の有色インキによる隠蔽層６を印刷し、紫外線を照射することで当該有色インキを乾燥して硬化させて製造される。
【００２７】
このような隠蔽層付き印刷物１の製造方法によれば、隠蔽情報層４、剥離層５、及び隠蔽層６が、それぞれ同一のオフセット印刷方式により印刷されるので、剥離層５及び隠蔽層６を、グラビア印刷やスクリーン印刷など、異なる印刷方式で印刷するのに比べて、生産性の向上や製造コストの低減を図れる。
【００２８】
次に、隠蔽層付き印刷物の他の実施例について図４を用いて説明する。上記実施形態が、下地としての原反２に隠蔽情報Ｘを印刷するのに対して、本実施例の隠蔽層付き印刷物は、原反２に隠蔽情報Ｘを印刷せずに、複数の有色インキ層の最下層に隠蔽情報Ｘを逆版印刷し、その上層に隠蔽層を形成するものである。
【００２９】
本実施形態の隠蔽層付き印刷物１Ａは、例えば、被隠蔽部が単色ネームや図形である場合において、原反２上にＯＰニスで構成される剥離層５と、この剥離層５上に設けられる有色インキ層８と、を備えて構成されている。
【００３０】
この有色インキ層８は、例えば、下インキ層８ａ、中間インキ層８ｂ、上インキ層８ｃの３層で構成されている。下インキ層８ａは、銀インキが印刷され、隠蔽情報Ｘが白抜きされており、中間インキ層８ｂは、隠蔽層として機能し、墨色インキが印刷されており、上インキ層８ｃは、銀インキが印刷されている。
【００３１】
この場合、接着テープにて隠蔽部を剥がすと、剥離層５であるＯＰニスと接触している下インキ層８ａは剥離が生じ、ＯＰニスと中間インキ層８ｂが接触している部分は剥離が生じないため、隠蔽層により隠蔽情報Ｘが形成される。
【００３２】
以上に説明したように、本実施形態の隠蔽層付き印刷物１は、隠蔽部をインキ組成物の総量中ウレタンアクリレートを３０％以上含有し、且つ光重合開始剤を１０〜１５％含有する銀インキを用いることでコインや爪で削れないようにすることができる。
【００３３】
また、剥離層５に剥離成分を含まないＯＰニスを用い、剥離層５の濡れ指数を３６ｄｙｎｅ／ｃｍ未満とすることで剥離を生じるようにしている。
【００３４】
なお、本発明は上記実施の形態に限定されるものではなく、本発明の要旨の範囲内で種々変更可能である。
【符号の説明】
【００３５】
１        隠蔽層付き印刷物
Ｘ        隠蔽情報
２        原反
４        隠蔽情報層
５        剥離層
６        隠蔽層
【図１】
2014083698.tif 000003
【図２】
2014083698.tif 000004
【図３】
2014083698.tif 000005
【図４】
2014083698.tif 000006